(57)【要約】【課題】液晶のような応答性の低い電気光学特性が低い表示装置による動画表示特性を、簡易な構成により改善する。【解決手段】走査線１１２が選択されたとき、当該選択走査線に位置する画素電極で保持されている電圧を、データ線１１４を介して読み出す読出回路１６０と、当該選択走査線に位置する画素１２０の階調に応じた画像信号Ｖinを、読み出された電圧で補正して、画素に対応した信号Ｖrdを出力する処理回路２０と、走査線が選択されて読出回路１６０により電圧が読み出された画素１２０の画素電極１１８に、記処理回路２０によって出力された信号Ｖwrを、データ線１１４を介して供給する書込回路１７０とを備える。【選択図】図１
2007193014.tif 000002
【特許請求の範囲】
【請求項１】
複数の走査線と複数のデータ線とに対応して設けられ、
各々が、
画素電極と、当該画素電極に対応して設けられ、前記走査線が選択されたときに導通状態となるスイッチング素子と、を含み、
前記スイッチング素子が導通状態となったときに前記データ線に供給されたデータ信号の電圧を保持する、
複数の画素と、
前記複数の走査線を選択する走査線駆動回路と、
前記複数の走査線のうち一行の走査線が選択されたとき、当該選択された走査線に対応する画素で保持されている電圧を、前記データ線を介して読み出す読出回路と、
当該選択された走査線に対応する画素の階調に応じた画像信号を、前記読出回路によって読み出された電圧を用いて補正し、前記画素に対応したデータ信号として出力する処理回路と、
前記一行の走査線が選択された状態において、前記読出回路により電圧が読み出された画素に、前記処理回路によって出力されたデータ信号を、前記データ線を介して供給する書込回路と、
を具備することを特徴とする電気光学装置。
【請求項２】
前記一行の走査線が選択される期間にわたって、前記複数のデータ線を所定の順番で選択するサンプリング信号出力回路を、さらに備え、
前記読出回路は、前記サンプリング信号出力回路によって選択されたデータ線よりも予め定められた列数だけ前記順番において手前のデータ線と、当該選択された走査線との交差に対応する画素の画素電極で保持されている電圧を読み出し、
前記書込回路は、前記サンプリング信号出力回路によって選択されたデータ線と、当該選択された走査線との交差に対応する画素の画素電極に、前記処理回路によって出力されたデータ信号の電圧を書き込む
ことを特徴とする請求項１に記載の電気光学装置。
【請求項３】
前記処理回路は、
前記画像信号と、前記読出回路によって読み出された電圧とを入力して、所定の演算を実行することにより、前記データ信号を出力する
ことを特徴とする請求項１に記載の電気光学装置。
【請求項４】
前記処理回路は、
前記読出回路で読み出された電圧をデジタルデータに変換するＡ／Ｄ変換回路と、
前記画素の階調をデジタルで指定する画像信号と、前記Ａ／Ｄ変換回路により変換されたデジタルデータとの二入力値に対応した出力値を予め記憶して、当該二入力値に対応した出力値に変換するルックアップテーブルと、
前記ルックアップテーブルで変換された出力値をアナログ電圧に変換して、前記データ信号として出力するＤ／Ａ変換回路と、
を有することを特徴とする請求項１に記載の電気光学装置。
【請求項５】
複数の走査線と複数のデータ線とに対応して設けられ、
各々が、
画素電極と、当該画素電極に対応して設けられ、前記走査線が選択されたときに導通状態となるスイッチング素子とを含み、
前記スイッチング素子が導通状態となったときに前記データ線に供給されたデータ信号の電圧を保持する、
複数の画素を備える電気光学装置の駆動方法であって、
前記複数の走査線を選択し、
当該選択した走査線に対応する画素で保持されている電圧を、前記データ線を介して読み出し、
当該選択する走査線に対応する画素の階調に応じた画像信号を、読み出した電圧を用いて補正してデータ信号とし、
電圧を読み出した画素に、前記データ信号を、前記データ線を介して供給する
ことを特徴とする電気光学装置の駆動方法。
【請求項６】
請求項１乃至４のいずれかに記載の電気光学装置を有することを特徴とする電子機器。
【発明の詳細な説明】
【技術分野】
【０００１】
本発明は、電気光学装置における構成の簡易化に寄与する技術に関する。
【背景技術】
【０００２】
電気光学物質の一例である液晶では、その応答性が低い。このため、液晶の電気光学特性を用いて表示を行う電気光学装置では、特に動画の表示特性が低下する、という問題が指摘されている。具体的には、表示された画像に残像感が現れたり、移動領域の境界がぼやけたり、移動するカーソルが消失したりするなどの問題が発生する。このため、前フレームから現行フレームにかけて階調（電圧）変化があった画素に対し、現行フレームで指定される階調に対応する電圧よりも、階調変化方向に過剰に振った電圧を印加する、いわゆるオーバードライブ駆動と呼ばれる技術が提案されている（特許文献１参照）。
【特許文献１】特開２００４−３１０１１３号公報
【発明の開示】
【発明が解決しようとする課題】
【０００３】
しかしながら、上記オーバードライブ駆動等では、階調変化をみるために、１フレーム分の画像データを記憶する必要があるので、電気光学装置における全体構成の簡略化、低コスト化を妨げる大きな要因になり得る。
本発明は上述した事情に鑑みてなされたもので、その目的とするところは、動画の表示特性を、構成の簡略化や低コスト化を図りつつ改善することが可能な電気光学装置、その駆動方法および電子機器を提供することにある。
【課題を解決するための手段】
【０００４】
上記課題を解決するために本発明は、複数の走査線と複数のデータ線とに対応して設けられ、各々が、画素電極と、当該画素電極に対応して設けられ、前記走査線が選択されたときに導通状態となるスイッチング素子と、を含み、前記スイッチング素子が導通状態となったときに前記データ線に供給されたデータ信号の電圧を保持する、複数の画素と、前記複数の走査線を選択する走査線駆動回路と、前記複数の走査線のうち一行の走査線が選択されたとき、当該選択された走査線に対応する画素で保持されている電圧を、前記データ線を介して読み出す読出回路と、当該選択された走査線に対応する画素の階調に応じた画像信号を、前記読出回路によって読み出された電圧を用いて補正し、前記画素に対応したデータ信号として出力する処理回路と、前記一行の走査線が選択された状態において、前記読出回路により電圧が読み出された画素に、前記処理回路によって出力されたデータ信号を、前記データ線を介して供給する書込回路と、を具備することを特徴とする。本発明によれば、画素の階調（電圧）変化を求める際に、１フレーム前に画素電極に書き込まれた電圧を読み出すので、フレームメモリが不要となり、その分、構成の簡略化や低コスト化が可能となる。
【０００５】
本発明において、前記一行の走査線が選択される期間にわたって、前記複数のデータ線を所定の順番で選択するサンプリング信号出力回路を、さらに備え、前記読出回路は、前記サンプリング信号出力回路によって選択されたデータ線よりも予め定められた列数だけ前記順番において手前のデータ線と、当該選択された走査線との交差に対応する画素の画素電極で保持されている電圧を読み出し、前記書込回路は、前記サンプリング信号出力回路によって選択されたデータ線と、当該選択された走査線との交差に対応する画素の画素電極に、前記処理回路によって出力されたデータ信号の電圧を書き込む構成としても良い。
また、本発明において、前記処理回路は、前記画像信号と、前記読出回路によって読み出された電圧とを入力して、所定の演算を実行することにより、前記データ信号を出力する構成としても良い。
さらに、本発明において、前記処理回路は、前記読出回路で読み出された電圧をデジタルデータに変換するＡ／Ｄ変換回路と、前記画素の階調をデジタルで指定する画像信号と、前記Ａ／Ｄ変換回路により変換されたデジタルデータとの二入力値に対応した出力値を予め記憶して、当該二入力値に対応した出力値に変換するルックアップテーブルと、前記ルックアップテーブルで変換された出力値をアナログ電圧に変換して、前記データ信号として出力するＤ／Ａ変換回路と、を有する構成としても良い。
なお、本発明は、電気光学装置のみならず、駆動方法や、当該電気光学装置を有する電子機器としても概念することが可能である。
【発明を実施するための最良の形態】
【０００６】
以下、本発明の実施形態について図面を参照して説明する。図１は、本実施形態に係る電気光学装置の構成を示すブロック図である。
この図に示されるように、電気光学装置１０は、処理回路２０、表示領域１００、走査線駆動回路１４０、サンプリング信号出力回路１５０、読出回路１６０および書込回路１７０等を含む。
このうち、表示領域１００では、４８０行の走査線１１２が行（Ｘ）方向に延在するように、また、６４０列のデータ線１１４が列（Ｙ）方向に延在するように、互いに電気的な絶縁を保ちつつ設けられている。画素１２０は、４８０行の走査線１１２と６４０列のデータ線１１４との交差に対応して、それぞれ配列している。したがって、本実施形態では、画素１２０が縦４８０行×横６４０列でマトリクス状に配列することになるが、本発明をこの配列に限定する趣旨ではない。
【０００７】
ここで、画素１２０の構成について説明する。図２は、画素１２０の電気的な構成を示す図である。この図は、ｉ行及びこれと１行下で隣接する（ｉ＋１）行と、ｊ列及びこれと１列右で隣接する（ｊ＋１）列との交差に対応する２×２の計４画素分の構成を示している。
なお、ｉ、（ｉ＋１）は、画素１２０が配列する行を一般的に示す場合の記号であって、それぞれ１以上４８０以下の整数である。また、ｊ、（ｊ＋１）は、画素１２０が配列する列を一般的に示す場合の記号であって、それぞれ１以上６４０以下の整数である。
【０００８】
図２に示されるように、各画素１２０は、スイッチング素子として機能するｎチャネル型の薄膜トランジスタ（thin film transistor：以下単に「ＴＦＴ」と略称する）１１６と、液晶容量１３０と、を有する。各画素１２０については互いに同一構成なので、ｉ行ｊ列に位置するもので代表して説明すると、当該ｉ行ｊ列の画素１２０において、ＴＦＴ１１６のゲートはｉ行目の走査線１１２に接続される一方、そのソースはｊ列目のデータ線１１４に接続され、そのドレインは液晶容量１３０の一端たる画素電極１１８に接続されている。また、液晶容量１３０の他端は、すべての画素１２０にわたって共通の対向電極１１０であり、時間的に一定の電圧ＬＣcomが印加されている。
【０００９】
表示領域１００は、特に図示しないが、素子基板と対向基板との一対の基板が一定の間隙を保って貼り合わせられるとともに、この間隙に液晶が挟持された構成となっている。このうち、素子基板には、走査線１１２や、データ線１１４、ＴＦＴ１１６および画素電極１１８が形成される一方、対向基板に対向電極１１０が形成されて、これらの電極形成面が互いに対向するように貼り合わせられている。このため、本実施形態において液晶容量１３０は、画素電極１１８と対向電極１１０とで液晶を挟持した構成となっている。
また、両基板の各対向面には、液晶分子の長軸方向が両基板間で例えば約９０度連続的に捻れるようにラビング処理された配向膜がそれぞれ設けられる一方、両基板の各背面側には配向方向に応じた偏光子がそれぞれ設けられる。
画素電極１１８と対向電極１１０との間を通過する光は、液晶容量１３０に保持される電圧実効値がゼロであれば、液晶分子の捻れに沿って約９０度旋光する一方、当該電圧実効値が大きくなるにつれて、液晶分子が電界方向に傾く結果、その旋光性が消失する。このため、例えば透過型において、入射側と背面側とに、偏光子を偏光軸が配向方向に一致するようにそれぞれ配置させると、当該電圧実効値が小さくなるにつれて、光の透過率が増加して明るくなる表示となる（ノーマリーホワイトモード）。
【００１０】
説明を図１に戻すと、処理回路２０は、図示しない上位回路から供給される画像信号Ｖinの電圧を、信号Ｖrdで補正して、信号Ｖwrとして出力するものである。ここで、画像信号Ｖinは、画素１２０の階調に応じた電圧を有し、図示省略した上位回路から供給される。詳細には、画像信号Ｖinは、１フレームの期間にわたって、１行１列〜１行６４０列、２行１列〜２行６４０列、３行１列〜３行６４０列、…、４８０行１列〜４８０行６４０列という画素の順番で、階調に応じた電圧となる。
なお、信号Ｖrdは、読出回路１６０から読み出された信号をバッファ回路１６４によりバッファリングした信号であり、また、信号Ｖwrは、バッファ回路１７４によるバッファリングを経て書込回路１７０に供給される。バッファ回路１６４、１７４は、いずれも出力インピーダンスを小さくするために設けられた電圧増幅係数が「１」である回路であるので、入出力電圧に変化はない。
【００１１】
上述したように本実施形態では、ノーマリーホワイトモードとしているので、画像信号Ｖinの電圧と、対向電極１１０に印加される電圧ＬＣcomとの差の絶対値は、画素を明るくするにつれて小さくなる関係にある。また、上記上位回路は、画像信号Ｖi nに同期して、転送開始パルスＤyおよびクロック信号Ｃlyを走査線駆動回路１４０に供給する一方、転送開始パルスＤxおよびクロック信号Ｃlxをサンプリング信号出力回路１５０に供給する。
【００１２】
ここで、処理回路２０の構成について説明すると、減算器２２、乗算器２４、加算器２６およびタイミング調整回路２８を有し、いずれも電圧をアナログで処理する。
このうち、タイミング調整回路２８は、バッファ回路１６４から出力された信号Ｖrdを、画像信号Ｖinの供給に対して１画素分（後述するクロック信号Ｃlxの１周期と等しい）だけ遅延させるものである。
減算器２２は、画像信号Ｖinの電圧から、タイミング調整回路２８によって遅延された信号Ｖrdの電圧を減算する。なお、減算器２２による減算結果は、正のみならず、負の値となる場合もある。乗算器２４は、加算された電圧に予め定められた係数ｋ（０＜ｋ）を乗算する。加算器２６は、画像信号Ｖinの電圧と、乗算器２４による出力電圧とを加算する。
なお、加算器２６による和である出力が信号Ｖwrである。
【００１３】
一方、走査線駆動回路１４０は、クロック信号Ｃlyが立ち上がる毎に、当該クロック信号Ｃlyのおおよそ１周期分のパルス幅を持つ転送開始パルスＤyを順次シフトするシフトレジスタであり、このシフト信号を走査信号Ｙ1、Ｙ2、Ｙ3、…、Ｙ480として、１、２、３、…、４８０行目の走査線１１２に供給する。このため、フレームＦの最初に転送開始パルスＤyが供給されると、図３に示されるように、走査信号Ｙ1、Ｙ2、Ｙ3、…、Ｙ480は、クロック信号Ｃlyの１周期に相当する期間Ｈ毎に、順番かつ排他的にＨレベルとなる。換言すれば、走査線１１２は、１フレームにおいて１、２、３、…、４８０行目の順番で期間Ｈ毎に選択されて、当該選択走査線１１２の論理レベルがＨレベルとなり、それ以外の非選択走査線１１２の論理レベルがＬレベルとなる。
【００１４】
サンプリング信号出力回路１５０は、走査線駆動回路１４０と同様にシフトレジスタであり、クロック信号Ｃlxが立ち上がる毎に、当該クロック信号Ｃlxのおおよそ１周期分のパルス幅を持つ転送開始パルスＤxを順次シフトして、このシフト信号を、サンプリング信号Ｓ0、Ｓ1、Ｓ2、Ｓ3、…、Ｓ640として出力するものである。
このため、図４に示されるように、あるｉ行の走査線１１２が選択されて、走査信号ＹiがＨレベルとなる期間Ｈの最初に転送開始パルスＤxが供給されると、サンプリング信号Ｓ0、Ｓ1、Ｓ2、Ｓ3、…、Ｓ640は、クロック信号Ｃlxの１周期に相当する期間Ｐ毎に、順番かつ排他的にＨレベルとなる。
なお、サンプリング信号Ｓ0、Ｓ1、Ｓ2、Ｓ3、…、Ｓ640のうち、サンプリング信号Ｓ0はダミーであり、サンプリング信号Ｓ1、Ｓ2、Ｓ3、…、Ｓ640は、それぞれデータ線１１４の１、２、３、…、６４０列に対応して出力される。
【００１５】
書込回路１７０は、データ線１１４毎に設けられたＴＦＴ１７２から構成される。このうち、ｊ列目のデータ線１１４に対応するＴＦＴ１７２のゲートには、当該ｊ列に対応するサンプリング信号Ｓjが供給され、そのドレインは、当該ｊ列目のデータ線１１４に接続されている。また、すべてのＴＦＴ１７２のソースは、バッファ回路１７４の出力端に共通接続されている。
読出回路１６０は、書込回路１７０と同様に、データ線１１４毎に設けられたＴＦＴ１６２から構成される。ただし、ＴＦＴ１６２のゲートに供給されるサンプリング信号が、ＴＦＴ１７２のゲートに供給されるサンプリング信号の１つ手前となっている。すなわち、ｊ列目のデータ線１１４に対応するＴＦＴ１６２のゲートには、１つ手前のサンプリング信号Ｓ(j-1)が供給される。なお、ＴＦＴ１６２のソースは、当該ｊ列目のデータ線１１４に接続され、また、すべてのＴＦＴ１６２のドレインは、バッファ回路１６４の入力端に共通接続されている。
【００１６】
次に、上述した構成による電気光学装置１０の動作について説明する。
まず、上位回路から画像信号Ｖinが、１フレームの期間にわたって、１行１列〜１行６４０列、２行１列〜２行６４０列、３行１列〜３行６４０列、…、４８０行１列〜４８０行６４０列、という画素の順番に対応して供給される一方、この供給動作に合わせて転送開始パルスＤy、Ｄx、クロック信号Ｃly、Ｃlxがそれぞれ供給される。
フレームＦにおいては、上述したように走査信号Ｙ1、Ｙ2、Ｙ3、…、Ｙ480が、順番に期間Ｈ毎にＨレベルとなる。また、この各期間Ｈにわたって、サンプリング信号Ｓ0、Ｓ1、Ｓ2、Ｓ3、…、Ｓ640が、順番に期間Ｐ毎にＨレベルとなる。
【００１７】
図４は、ｉ行目および（ｉ＋１）行目の走査線１１２が選択される期間（走査信号Ｙi、Ｙ(i+1)がＨレベルとなる期間）において、サンプリング信号Ｓ0、Ｓ1、Ｓ2、Ｓ3、…、Ｓ640の電圧波形、および、画像信号Ｖinの電圧波形例を、それぞれ示している。
また、図４において、画像信号Ｖinは、走査信号ＹiがＨレベルとなる期間において、クロック信号Ｃlxに同期して、サンプリング信号Ｓ1、Ｓ2、Ｓ3、…、Ｓ640がＨレベルとなるとき、それぞれｉ行１列、ｉ行２列、ｉ行３列、…、ｉ行６４０列の画素の階調に応じた電圧となり、続く走査信号Ｙ（i+1)がＨレベルとなる期間において、サンプリング信号Ｓ1、Ｓ2、Ｓ3、…、Ｓ640がＨレベルとなるとき、それぞれ（ｉ＋１）行１列、（ｉ＋１）行２列、（ｉ＋１）行３列、…、（ｉ＋１）行６４０列の画素の階調に応じた電圧となる。
【００１８】
なお、上位回路は、クロック信号Ｃlxに同期して画像信号Ｖinを供給するので、クロック信号Ｃlxに同期するサンプリング信号Ｓ1、Ｓ2、Ｓ3、…、Ｓ640と、画像信号Ｖinとにおいて画素の関係が保たれる。
また、サンプリング信号Ｓ1がＨレベルに変化してから、サンプリング信号Ｓ640がＬレベルに変化するまでの期間以外では、画像信号Ｖinは黒色Ｖb(+)またはＶb(-)となる。ここで、画像信号Ｖinは、正極性書込であれば、白色に相当する電圧Ｖw(+)から黒色に相当する電圧Ｖb(+)までの範囲で、一方、負極性書込であれば、白色に相当する電圧Ｖw(-)から黒色に相当する電圧Ｖb(-)までの範囲で、それぞれ電圧ＬＣcomから画素の階調に応じた電圧となる。電圧Ｖw(+)、Ｖb(+)と、負極性書込における電圧Ｖw(-)、Ｖb(-)は、それぞれ電圧ＬＣcomを中心に互いに対称の関係にある。また、走査信号やサンプリング信号の論理レベルのうち、Ｈレベルは電圧Ｖddであり、Ｌレベルは本実施形態における電圧の基準であって接地電位Ｇndである。ただし、本実施形態における書込極性は、液晶容量１３０に対する書込極性をいうので、その正負の基準は接地電位Ｇndではなく、電圧ＬＣcomである。
なお、図４における画像信号Ｖinの縦スケールは、他の電圧波形と比較して拡大してある。
また、画像信号Ｖinは、液晶の交流駆動のために、同一画素でみると所定数のフレーム毎に極性反転されて供給される。図４においては、１フレームにおいてすべての画素に対して同一極性とした、いわゆる面反転として、正極性書込の場合を実線にて、負極性書込の場合を破線にて、それぞれ示しているが、１フレームにおける書込極性を、行毎に反転させた行反転や、列毎に書込極性を反転させた行反転や、行および列毎に反転させたドット反転としても良い。なお、画像信号Ｖinは、液晶を交流駆動するために、同一画素でみたときに、所定数のフレーム毎に極性が反転されて供給される。
【００１９】
さて、最初に１行目の走査線１１２に供給される走査信号Ｙ1がＨレベルになると、１行目の画素１２０におけるＴＦＴ１１６がすべてオンになる。さらに、走査信号Ｙ1がＨレベルとなる期間において、最初にサンプリング信号Ｓ0がＨレベルになると、読出回路１６０のうち、１列目のデータ線１１４に対応するＴＦＴ１６２がオンするので、１行１列の画素電極１１８において保持されている電圧が、当該データ線１１４を介し信号Ｖrdとして読み出される。ここで、読み出される信号Ｖrdは、１フレーム前において１行１列の画素電極１１８に書き込まれた電圧、すなわち、１フレーム前の１行１列の画素の階調に応じた電圧である。
【００２０】
次に、１行１列の画素１２０に対応する画像信号Ｖinが供給されると、このタイミングにおいてタイミング調整回路２８は、先に読み出された信号Ｖrd、すなわち１行１列の画素電極１１８の保持されていた電圧を、出力する。
現時点において供給されている画像信号Ｖinは、１行１列の画素の階調に応じた電圧となっているから、減算器２２によって出力される電圧は、１フレーム前から現フレームにかけて１行１列の画素において書き込む電圧（すなわち階調）の変化分であり、正値であれば電圧上昇方向の変化であり、負値であれば電圧下降方向の変化である。
この変化分に係数ｋを乗じたものが乗算器２４によって求められて、この乗算結果が、現時点において供給されている画像信号Ｖinに加算器２６によって加算される。
したがって、加算器２６によって出力される信号Ｖwrは、以下のように示される。
Ｖwr＝Ｖin＋ｋ（Ｖin−Ｖrd）
すなわち、この電圧は、現フレームにおいて１行１列の画素の階調に応じた電圧の信号Ｖinに、１フレーム前の階調（電圧）からの変化分（Ｖin−Ｖrd）に係数ｋを乗じた値（Ｖcp）を加算した電圧、換言すれば、変化方向にオーバーシュートに振った電圧となる。
【００２１】
一方、１行１列の画素１２０に対応する画像信号Ｖinが供給されるタイミングでは、サンプリング信号Ｓ1がＨレベルとなるので、書込回路１７０のうち、１列目のデータ線１１４に対応するＴＦＴ１７２がオンする。これにより、１行１列の画素の階調に応じた電圧に対し、１フレーム前からの変化方向にオーバーシュート気味に振った電圧の信号Ｖwrが当該１列目のデータ線１１４にデータ信号として供給されるので、導通状態にあるＴＦＴ１１６を介して１行１列の画素電極１１８に印加されることになる。
また、サンプリング信号Ｓ1がＨレベルになると、読出回路１６０のうち、２列目のデータ線１１４に対応するＴＦＴ１６２もオンするので、１行２列の画素電極１１８において保持されている電圧が、当該データ線１１４を介し信号Ｖrdとして読み出されることになる。
【００２２】
次に、１行２列の画素１２０に対応する画像信号Ｖinが供給されると、タイミング調整回路２８は、１行２列の画素電極１１８から先に読み出した保持電圧を出力する。このため、処理回路２０から出力される信号Ｖwrは、１行２列の画素の階調に応じた電圧に対し、１フレーム前からの変化方向にオーバーシュートに振った電圧となる。一方、１行２列の画素１２０に対応する画像信号Ｖinが供給されるタイミングでは、サンプリング信号Ｓ2がＨレベルとなるので、書込回路１７０のうち、２列目のデータ線１１４に対応するＴＦＴ１７２がオンする結果、信号Ｖwrは、当該２列目のデータ線１１４にデータ信号として供給されて、１行２列の画素電極１１８に印加されることになる。
また、サンプリング信号Ｓ2がＨレベルになると、読出回路１６０のうち、３列目のデータ線１１４に対応するＴＦＴ１６２もオンするので、１行３列の画素電極１１８において保持されている電圧が、当該データ線１１４を介し信号Ｖrdとして読み出されることになる。
【００２３】
このような動作が、以降サンプリング信号Ｓ3、Ｓ4、…、Ｓ640が順番にＨレベルとなるまで繰り返される。これにより、１行目の画素に対する書込動作が完了する。さらに、同様な動作が、走査信号Ｙ2、Ｙ3、…、Ｙ480がＨレベルになる期間のそれぞれにおいて実行され、２、３、…、４８０行目の画素に対する書込動作が実行されて、これにより、１枚（フレーム）の画像が表示されることになる。
【００２４】
本実施形態では、走査信号ＹiがＨレベルである期間において、あるｊ列目のデータ線１１４に着目すると、第１に、図５（ａ）に示されるように、当該ｊ列目の１つ手前のサンプリング信号Ｓ(j-1)がＨレベルになったときに、読出回路１６０のうち、当該ｊ列目に対応するＴＦＴ１６２がオンして、ｉ行ｊ列の画素電極１１８に保持された電圧が当該ｊ列目のデータ線１１４を介して信号Ｖrdとして読み出され、第２に、図５（ｂ）に示されるように、当該ｊ列目のサンプリング信号ＳjがＨレベルになったとき、書込回路１７０のうち、当該ｊ列目に対応するＴＦＴ１７２がオンして、処理回路２０から出力される信号Ｖwrが、当該ｊ列目のデータ線１１４を介してデータ信号として供給される結果、ｉ行ｊ列の画素電極１１８に当該信号Ｖwrの電圧が書き込まれる。
このため、信号Ｖinが、あるｎフレームにおいて１つ前の（ｎ−１）フレームから図６において破線で示されるように変化するとき、信号Ｖwrの電圧は、変化分（Ｖin−Ｖrd）に係数ｋに乗じた値Ｖcpだけ、変化方向にオーバーシュートさせた電圧となるので、いわゆるオーバードライブ駆動が実現されることとなる。
このように、本実施形態では、１フレーム前から現フレームにかけて、各画素の電圧（階調）変化を求める際に、１フレーム前に書き込まれた画素電極１１８の電圧を読み出して、現フレームにおける画像信号の電圧から差し引いているので、各画素の電圧を規定するデータを１フレーム分記憶する必要がない。
このため、本実施形態では、動画の表示特性を改善するために、各画素の階調に応じた電圧よりも１フレーム前からの電圧（階調）変化方向にオーバーシュートさせた電圧を書き込む構成において、フレームメモリが全く不要であるので、構成を大幅に簡易化することが可能となる。
さらに、本実施形態では、読出回路１６０による読出列数を、書込回路１７０による書込列数よりも１つ手前としているので、例えばサンプリング信号Ｓjを、ｊ列目に対応するＴＦＴ１７２のゲートとともに、（ｊ−１）列目に対応するＴＦＴ１６２のゲートに供給する構成で済むので、シフトレジスタが１系統で済み、この点においても構成の簡易化が図られている。なお、実施形態では、読出列数を書込列数よりも１つ手前としているが、読出列数が書込列数よりも手前であれば良い。ただし、より手前とするにつれて、ダミーとなるサンプリング信号が増えるとともに、減算器２２において同一の画素について変化分を求める必要から、タイミング調整回路２８における遅延時間を、書込列数に先行する時間（演算に要する時間を含む）と同一となるように調整する必要がある。
【００２５】
なお、上述した実施形態では、処理回路２０における処理内容をアナログで処理する構成としたが、デジタルで処理する構成としても良い。デジタルで処理する構成において、減算、乗算、加算等の演算において発生する遅延がクロック信号Ｃlxの２周期以上となる場合、上述したように、タイミング調整回路２８における遅延時間を、書込列数に先行する時間と演算に要する時間との和と同一となるように調整する必要がある。
また、処理回路２０における演算内容は、動画表示特性を向上させるものであれば、上述したものに限られない。
【００２６】
さらに、処理回路２０においては、演算ではなくルックアップテーブルを用いた変換により信号Ｖwrを求める構成、処理回路２０を例えば図７に示されるような構成としても良い。この図に示される処理回路２０において、Ａ／Ｄ変換回路３２は、アナログ電圧の信号Ｖrdをデジタルに変換するものであり、上述したタイミング調整回路２８の遅延機能も併せ持つ。画像信号Ｖinは、階調に応じたアナログ電圧ではなく、階調値を指定するデジタル値で供給される。ルックアップテーブル３４は、画像信号Ｖinのデジタル値および信号Ｖrdのデジタル値の組み合わせに応じて、信号Ｖwrに相当するデジタル値を予め記憶する二次元テーブルであり、二つの入力値で規定されるデジタル値を出力する。Ｄ／Ａ変換回路３６は、ルックアップテーブル３４で出力されたデジタル値をアナログ変換して、信号Ｖwrとして出力する。
【００２７】
実施形態では、説明の便宜のために、コモン電極１１０に印加される電圧ＬＣcomを、液晶容量１３０における書込極性の基準とした。しかしながら、ＴＦＴ１１６のゲート・ドレイン間の寄生容量に起因して、オンからオフ時にドレイン（画素電極１１８）の電位が低下する現象（プッシュダウン、突き抜け、フィールドスルーなどと呼ばれる）が発生する場合がある。液晶の劣化を防止するため、液晶容量１３０に対しては交流駆動が原則であるが、電圧ＬＣcomを書込極性の基準として交流駆動すると、プッシュダウンのために、負極性書込による液晶容量１３０の電圧実効値が、正極性書込による実効値よりも若干大きくなってしまう。そこで、プッシュダウンの影響が無視できない場合には、書込極性の基準電圧とコモン電極１１０の電圧ＬＣcomとを別にわけ、同一階調で正極性・負極性書込をしても液晶容量の電圧実効値が互いに等しくなるように、コモン電極１１０の電圧ＬＣcomを、書込極性の基準電圧よりも若干低位に設定する構成としても良い。
【００２８】
画素１２０については透過型として説明したが、画素電極１１８、または、コモン電極１１０の一方を反射性金属とした反射型や、透過型と反射型とを合わせた半透過半反射型としても良い。また、反射型等とする場合には、画素電極１１８、または、コモン電極１１０の一方を反射性金属とするのではなく、その下層に反射層を設けても良い。
また、ノーマリーホワイトモードではなく、ノーマリーブラックモードとして良いのももちろんである。
【００２９】
さらに、上述した実施形態では、液晶としてＴＮ型を用いたが、ＢＴＮ（Bi-stable Twisted Nematic）型・強誘電型などのメモリ性を有する双安定型や、高分子分散型、さらには、分子の長軸方向と短軸方向とで可視光の吸収に異方性を有する染料（ゲスト）を一定の分子配列の液晶（ホスト）に溶解して、染料分子を液晶分子と平行に配列させたＧＨ（ゲストホスト）型などの液晶を用いても良い。
また、電圧無印加時には液晶分子が両基板に対して垂直方向に配列する一方、電圧印加時には液晶分子が両基板に対して水平方向に配列する、という垂直配向（ホメオトロピック配向）の構成としても良いし、電圧無印加時には液晶分子が両基板に対して水平方向に配列する一方、電圧印加時には液晶分子が両基板に対して垂直方向に配列する、という平行（水平）配向（ホモジニアス配向）の構成としても良い。このように、本発明では、液晶や配向方式として、種々のものに適用することが可能である。
【００３０】
次に、上述した実施形態に係る電気光学装置を用いた電子機器の例について説明する。図８は、上述した電気光学装置１０をライトバルブとして用いた３板式プロジェクタの構成を示す平明図である。
このプロジェクタ２１００において、ライトバルブに入射させるための光は、内部に配置された３枚のミラー２１０６および２枚のダイクロイックミラー２１０８によってＲ（赤）、Ｇ（緑）、Ｂ（青）の３原色に分離されて、各原色に対応するライトバルブ１００Ｒ、１００Ｇおよび１００Ｂにそれぞれ導かれる。なお、Ｂ色の光は、他のＲ色やＧ色と比較すると、光路が長いので、その損失を防ぐために、入射レンズ２１２２、リレーレンズ２１２３および出射レンズ２１２４からなるリレーレンズ系２１２１を介して導かれる。
【００３１】
ここで、ライトバルブ１００Ｒ、１００Ｇおよび１００Ｂの構成は、上述した実施形態における電気光学装置１０の表示領域１００と同様であり、外部上位装置（図示省略）から供給されるＲ、Ｇ、Ｂの各色に対応する画像データでそれぞれ駆動されるものである。
ライトバルブ１００Ｒ、１００Ｇ、１００Ｂによってそれぞれ変調された光は、ダイクロイックプリズム２１１２に３方向から入射する。そして、このダイクロイックプリズム２１１２において、Ｒ色およびＢ色の光は９０度に屈折する一方、Ｇ色の光は直進する。したがって、各色の画像が合成された後、レンズユニット１８２０によって正転拡大投影されるので、スクリーン２１２０には、カラー画像が表示されることとなる。
【００３２】
なお、ライトバルブ１００Ｒ、１００Ｂの透過像は、ダイクロイックプリズム２１１２により反射した後に投射されるのに対し、ライトバルブ１００Ｇの透過像はそのまま投射されるので、ライトバルブ１００Ｒ、１００Ｂによる水平走査方向は、ライトバルブ１００Ｇによる水平走査方向と逆向きにして、左右反転像を表示させる構成となっている。
【００３３】
また、電子機器としては、図８を参照して説明した他にも、直視型、例えば携帯電話や、パーソナルコンピュータ、テレビジョン、ビデオカメラのモニタ、カーナビゲーション装置、ページャ、電子手帳、電卓、ワードプロセッサ、ワークステーション、テレビ電話、ＰＯＳ端末、ディジタルスチルカメラ、タッチパネルを備えた機器等などが挙げられる。そして、これらの各種の電子機器に対して、本発明に係る電気光学装置が適用可能なのは言うまでもない。
【図面の簡単な説明】
【００３４】
【図１】本発明の実施形態に係る電気光学装置の構成を示すブロック図である。
【図２】同電気光学装置における画素の構成を示す図である。
【図３】同電気光学装置における走査線駆動回路の動作を説明するための図である。
【図４】同電気光学装置におけるサンプリング信号出力回路の動作の説明図である。
【図５】同電気光学装置の読出回路および書込回路の動作を示す図である。
【図６】同電気光学装置による処理回路からの信号Ｖwrを説明するための図である。
【図７】同電気光学装置による処理回路の別例を示すである。
【図８】同電気光学装置を適用したプロジェクタの構成を示す図である。
【符号の説明】
【００３５】
１０…電気光学装置、２０…処理回路、３２…Ａ／Ｄ変換回路、３４…ルックアップテーブル、３６…Ｄ／Ａ変換回路、１００…表示領域、１１２…走査線、１１４…データ線、１１６、１６２、１７２…ＴＦＴ、１１８…画素電極、１３０…液晶容量、１４０…走査線駆動回路、１５０…サンプリング信号出力回路、１６０…読出回路、１７０…書込回路、２１００…プロジェクタ
【図１】
2007193014.tif 000003
【図２】
2007193014.tif 000004
【図３】
2007193014.tif 000005
【図４】
2007193014.tif 000006
【図５】
2007193014.tif 000007
【図６】
2007193014.tif 000008
【図７】
2007193014.tif 000009
【図８】
2007193014.tif 000010